(57)【要約】【課題】単動シリンダを用いて作業装置の駆動昇降を行うにあたり、単動シリンダの下げ制御を、下げ用の圧力補償弁などの専用装置の付加を要さずに構造簡単に構成する。【解決手段】  制御弁ユニットには、方向制御弁の下降位置で連通するシリンダポートＣからタンクポートＴへの通油路３５とは別に、下降位置でポンプポートＰからタンクポートＴへ連通するサブ通油路９が設けられ、このサブ通油路９を流れる作動油によるスプール４１に対する流体圧の作用方向が、シリンダポートＣからタンクポートＴへの通油路３５を流れる作動油によるスプール４１に対する流体圧の作用方向とは逆方向に設定されている。【選択図】図６
2018009595.tif 000002
【特許請求の範囲】
【請求項１】
走行機体に装備された作業装置を昇降操作する単動シリンダと、
前記単動シリンダに対して圧油を供給する油圧ポンプと、
前記油圧ポンプと前記単動シリンダとの間における圧油の給排を制御する制御弁ユニットと、を備えた作業機の油圧駆動装置において、
前記制御弁ユニットに、前記油圧ポンプからの圧油供給路が接続されるポンプポートと、作動油タンクへのドレン油路が接続されるタンクポートと、前記単動シリンダに対する圧油給排路が接続されるシリンダポートと、が形成され、
この制御弁ユニットに、前記圧油の給排方向を、スプールのスライド移動によって切り換え制御する方向制御弁が備えられ、
前記方向制御弁は、前記ポンプポートから前記シリンダポートへの通油路を開く上昇位置と、前記シリンダポートから前記タンクポートへの通油路を開く下降位置と、前記ポンプポートから前記タンクポートへの通油路を開く中立位置と、に前記スプールの操作位置を切換可能に構成され、
前記制御弁ユニットには、前記方向制御弁の前記下降位置で連通する前記シリンダポートから前記タンクポートへの通油路とは別に、前記下降位置で前記ポンプポートから前記タンクポートへ連通するサブ通油路が設けられ、
このサブ通油路を流れる作動油による前記スプールに対する流体圧の作用方向が、前記シリンダポートから前記タンクポートへの通油路を流れる作動油による前記スプールに対する流体圧の作用方向とは逆方向に設定されている作業機の油圧駆動装置。
【請求項２】
前記サブ通油路の流路面積は、前記シリンダポートから前記タンクポートへの通油路の流路面積よりも、予め設定された量だけ小さく設定されている請求項１記載の作業機の油圧駆動装置。
【発明の詳細な説明】
【技術分野】
【０００１】
本発明は、走行機体に装備された作業装置を昇降操作する単動シリンダと、単動シリンダに対して圧油を供給する油圧ポンプと、油圧ポンプと単動シリンダとの間における圧油の給排を制御する制御弁ユニットと、を備えた作業機の油圧駆動装置に関する。
【背景技術】
【０００２】
上記のように、油圧ポンプと、単動シリンダと、単動シリンダに対する圧油の給排を制御する制御弁ユニットを備えた作業機の油圧駆動装置としては、下記［１］及び［２］に記載の技術が知られている。
［１］  制御弁ユニットに、油圧ポンプから単動シリンダへの圧油の給排を制御する備えた方向切換弁（特許文献１では「主スプール」参照）を備え、その方向切換弁を、上昇用デューティ弁と、下降用デューティ弁とで昇降切り換え操作可能に構成している。そして、方向切換弁の上昇時に作用する圧力補償弁を備えて単動シリンダの上昇速度を制御できるようにし、単動シリンダの下降時には、パイロット式逆止弁を開いて苗植付装置が自重下降するようにしたもの（例えば、特許文献１参照）。
［２］  単動シリンダの下降側流路に作用する圧力補償弁（特許文献２では「圧力補償スプール」参照）と方向切換弁（特許文献２では「流量制御スプール」参照）を備え、単動シリンダの下降時における下降側流路内の圧力に関係なく一定流量の流体を流すことができるようにして、単動シリンダに支持された装置の下降速度の調節を行えるようにしたもの（例えば、特許文献２参照）。
【先行技術文献】
【特許文献】
【０００３】
【特許文献１】特開２００４−７３０２９号公報（段落「００３６」、「００３７」、及び図面の「図２」参照）
【特許文献２】特開２０１１−１６９３８０号公報（段落「００３４」、及び図面の「図１」，「図２」参照）
【発明の概要】
【発明が解決しようとする課題】
【０００４】
特許文献１に示された構造のものでは、単動シリンダの上昇側の回路では圧力補償弁による制御が行われ、単動シリンダの上昇速度の制御が適切に行えるものであるが、下降側の回路では、圧力補償弁による制御ではなく、苗植付装置の自重によって下降速度が変化することになる。
このような下降速度を自重任せにせずに調節しようとすれば、特許文献２に記載のように下降側の回路にも圧力補償弁を設ければよいが、これでは、上昇側回路とは別に圧力補償弁や、その圧力補償弁を作動させるための回路が必要となり、構造の複雑化を招きやすい点で改善の余地がある。
【０００５】
本発明は、単動シリンダを用いて作業装置の駆動昇降を行うにあたり、単動シリンダの下げ制御を、下げ用の圧力補償弁などの専用装置の付加を要さずに構造簡単に構成しようとするものである。
【課題を解決するための手段】
【０００６】
本発明における作業機の油圧駆動装置の特徴は、走行機体に装備された作業装置を昇降操作する単動シリンダと、前記単動シリンダに対して圧油を供給する油圧ポンプと、前記油圧ポンプと前記単動シリンダとの間における圧油の給排を制御する制御弁ユニットと、を備えた作業機の油圧駆動装置において、前記制御弁ユニットに、前記油圧ポンプからの圧油供給路が接続されるポンプポートと、作動油タンクへのドレン油路が接続されるタンクポートと、前記単動シリンダに対する圧油給排路が接続されるシリンダポートと、が形成され、この制御弁ユニットに、前記圧油の給排方向を、スプールのスライド移動によって切り換え制御する方向制御弁が備えられ、前記方向制御弁は、前記ポンプポートから前記シリンダポートへの通油路を開く上昇位置と、前記シリンダポートから前記タンクポートへの通油路を開く下降位置と、前記ポンプポートから前記タンクポートへの通油路を開く中立位置と、に前記スプールの操作位置を切換可能に構成され、前記制御弁ユニットには、前記方向制御弁の前記下降位置で連通する前記シリンダポートから前記タンクポートへの通油路とは別に、前記下降位置で前記ポンプポートから前記タンクポートへ連通するサブ通油路が設けられ、このサブ通油路を流れる作動油による前記スプールに対する流体圧の作用方向が、前記シリンダポートから前記タンクポートへの通油路を流れる作動油による前記スプールに対する流体圧の作用方向とは逆方向に設定されていることである。
【０００７】
本発明によれば、制御弁ユニットには、方向制御弁の下降位置で連通するシリンダポートからタンクポートへの通油路とは別に、下降位置でポンプポートからタンクポートへ連通するサブ通油路が設けられている。
この構成によれば、シリンダポートからタンクポートへの通油路でスプールに対して作用する流体圧の作用方向と、サブ通油路でスプールに対して作用する流体圧の作用方向とが、逆向きになって互いに作用力を打ち消し合う方向に作用する傾向がある。
その結果、方向制御弁の下降位置におけるスプールの動作安定性を、圧力補償弁などの専用装置を要さずに、簡単な構造で確保できるという利点がある。
【０００８】
本発明においては、前記サブ通油路の流路面積は、前記シリンダポートから前記タンクポートへの通油路の流路面積よりも、予め設定された量だけ小さく設定されていると好適である。
【０００９】
本構成によれば、サブ通油路の流路面積を、シリンダポートからタンクポートへの通油路の流路面積よりも、予め設定された量だけ小さく設定して、サブ通油路でスプールに対して作用する流体圧の作用力が、シリンダポートからタンクポートへの通油路でスプールに対して作用する流体圧の作用力よりも大きくなって、スプールが下降位置側への操作方向から逆方向へ戻りすぎることを避けられるようにして、より一層、操作位置の安定性を増すようにしている。
【図面の簡単な説明】
【００１０】
【図１】苗植付装置の昇降装置を示す左側面図である。
【図２】苗植付け装置昇降用の油圧回路図である。
【図３】中立操作状態におけるバルブブロックの展開断面図である。
【図４】上昇操作状態におけるバルブブロックの展開断面図である。
【図５】下降操作状態におけるバルブブロックの展開断面図である。
【図６】下降操作状態における方向制御弁部分の拡大断面図である。
【図７】比較例における方向制御弁の下降操作状態の拡大断面図である。
【図８】別実施形態における方向制御弁の下降操作状態の拡大断面図である。
【発明を実施するための形態】
【００１１】
以下、本発明における実施形態の一例を図面の記載に基づいて説明する。
尚、本実施形態での説明における前後方向及び左右方向は、特段の説明がない限り、次のように記載している。つまり、本発明を適用した作業機の一例である乗用型田植機の作業走行時における前進側の進行方向（図１における矢印Ｆ参照）が「前」、後進側への進行方向（図１における矢印Ｂ参照）が「後」である。そして、その前後方向での前向き姿勢を基準としての右側に相当する方向が「右」、同様に左側に相当する方向が「左」であるとして説明している。
【００１２】
〔作業機の構成〕
図１は、本発明に係る油圧駆動装置を適用した作業機の一例である乗用型田植機の後部を示している。
この乗用型田植機は、操向可能な前輪（図外）および操向不能な後輪１ａを備えて四輪駆動で走行する走行機体１の後部に、作業装置としての苗植付装置２が配置されているとともに、その苗植付装置２を上下昇降駆動する昇降装置１０（油圧駆動装置に相当する）が備えられている。
【００１３】
苗植付装置２は、６条分の苗を載置して左右方向に設定ストロークで往復移動される苗のせ台２０と、苗のせ台２０の下端から１株分ずつ苗を切り出して圃場に植付けてゆく６組の回転式の植付け機構２１と、植付け箇所を整地する３個の整地フロート２２とを備えている。そして、走行機体１の走行にともなって、整地フロート２２によって整地された箇所の圃場に、植付け機構２１が苗のせ台２０上の苗を切り出して植付作業を行うように構成されている。
【００１４】
昇降装置１０は、走行機体１の後端部に前端側を連結した平行四連リンク構造の昇降リンク機構１１と、その昇降リンク機構１１を揺動駆動する単動型の油圧シリンダ１２（単動シリンダに相当する）とを備えている。
昇降リンク機構１１は、走行機体１の後端側上部位置で、水平方向に沿う上部横軸心ｘ１を揺動支点として揺動作動するアッパーリンク１１Ｕと、前記上部横軸心ｘ１に沿う水平方向で、その下方に位置する下部横軸心ｘ２を揺動支点として揺動作動するロワーリンク１１Ｌとを備えている。アッパーリンク１１Ｕとロワーリンク１１Ｌとの各後端部は、縦リンク１１Ｖに相対回動自在に連結され、この縦リンク１１Ｖに苗植付装置２が支持されている。
【００１５】
前記油圧シリンダ１２は、前端側がアッパーリンク１１Ｕの揺動支点と同じ上部横軸心ｘ１を揺動支点として揺動作動可能に連結されている。後端側はロワーリンク１１Ｌの後端部と縦リンク１１Ｖの下端部との連結箇所における横軸心（図示せず）と同心上の横軸（図示せず）に相対回動自在に連結されている。
【００１６】
図１では、油圧シリンダ１２が伸長して、苗植付装置２が下降した植付作業可能な作業姿勢位置にある。この油圧シリンダ１２の伸長状態から油圧シリンダ１２を収縮作動させるようにシリンダ部１２ａに圧油が供給されると、昇降リンク機構１１が上部横軸心ｘ１及び下部横軸心ｘ２のまわりで揺動作動し、苗植付装置２が持ち上げられた非作業姿勢位置に姿勢変更される。
【００１７】
〔油圧回路〕
昇降装置１０の油圧シリンダ１２は、図２に示すように、制御弁ユニット３を介して圧油供給用の油圧ポンプ１３及び作動油タンク１４に接続されている。
制御弁ユニット３には、油圧ポンプ１３から供給される圧油の給排方向を切り換え制御する電磁制御弁からなる方向制御弁４と、油圧シリンダ１２からの圧油の戻りを規制するチェック弁５と、油圧ポンプ１３から油圧シリンダ１２へ供給される圧油の圧力補償を行うアンロード弁６と、油圧ポンプ１３から方向制御弁４への圧油供給路３１に接続されたリリーフ弁７と、チェック弁５から油圧シリンダ１２への圧油給排路３２に介装された手動開閉弁８とが備えられている。
【００１８】
これらの方向制御弁４、チェック弁５、アンロード弁６、及びリリーフ弁７は、共通のバルブブロック３０内に備えられている。
バルブブロック３０には、油圧ポンプ１３からの圧油供給路３１が接続されるポンプポートＰと、作動油タンク１４へのドレン油路３３が接続されるタンクポートＴと、油圧シリンダ１２に対する圧油給排路３２が接続されるシリンダポートＣと、が形成されている。
【００１９】
バルブブロック３０内で、方向制御弁４は、ポンプポートＰからシリンダポートＣへの通油路３４を開く上昇位置Ｕと、シリンダポートＣからタンクポートＴへの通油路３５を開く下降位置Ｄと、ポンプポートＰからタンクポートＴへの通油路３６を開く中立位置Ｎと、に操作位置を切換可能に構成されている。
この方向制御弁４の上昇位置Ｕへの操作に伴って、油圧ポンプ１３からの圧油が油圧シリンダ１２に供給され、方向制御弁４の下降位置Ｄへの操作に伴って、パイロット油路３７を介してチェック弁５が開放され、油圧シリンダ１２から作動油タンク１４に圧油が戻され、方向制御弁４の中立位置Ｎへの操作に伴って、油圧シリンダ１２の昇降作動は停止され、油圧ポンプ１３の圧油は作動油タンク１４に戻される。
【００２０】
〔制御弁ユニットの具体構造〕
制御弁ユニット３は、図３乃至図５に示すように構成されている。
すなわち、方向制御弁４は、バルブブロック３０内に形成された第一弁室４０内に主スプール４１（スプールに相当する）を挿入した状態で配備されている。そして、主スプール４１の両端部に操作ロッド４２が連設されていて、この操作ロッド４２が、バルブブロック３０の左右両側に装備させたソレノイド４３に挿入されている。また、主スプール４１の両端部近くで操作ロッド４２の外周部に、主スプール４１を中立位置Ｎへ復帰付勢する復帰バネ４４，４４が設けられている。
したがって、方向制御弁４は、各ソレノイド４３の何れか一方への通電によって、主スプール４１が上昇位置Ｕ又は下降位置Ｄの何れかに択一的に切り換えられ、両ソレノイド４３への通電が断たれると、両端部の復帰バネ４４，４４の復元力によって中立位置Ｎへ復帰するように構成されている。
【００２１】
主スプール４１は、その長手方向の中央部に位置する中央大径部４５と、図中右端側寄りに位置する右大径部４６と、図中左端側寄りに位置する左大径部４７とを備えている。中央大径部４５と右大径部４６との間、及び中央大径部４５と左大径部４７との間には、第一弁室４０の内周面との間に通油用の間隙を存在させるための、右小径部４８と左小径部４９とが形成されている。
【００２２】
チェック弁５は、圧油給排路３２に連なる第二弁室５０内に逆流防止用の鋼球５１が設けられている。この鋼球５１は、第二弁室５０内に備えた逆止付勢バネ５２によって、弁座部５０ａの存在する側へ押圧付勢されている。
つまり、鋼球５１は、ポンプポートＰからシリンダポートＣへの通油路３４に圧油が送り込まれると、圧油の圧力によって弁座部５０ａから離れてシリンダポートＣ側への圧油供給を許容する。逆に、シリンダポートＣからタンクポートＴへは、逆止付勢バネ５２の付勢力、及び圧油給排路３２に作用する戻り油の圧力によって鋼球５１が弁座部５０ａに密着する側へ押し付けられ、シリンダポートＣからタンクポートＴへの通油路３５が閉塞された状態となる。
【００２３】
そして、チェック弁５の鋼球５１は、逆止付勢バネ５２による押し付け方向とは逆方向に作動する解除ピストン５３の作動によって、逆流阻止状態を解除できるように構成されている。つまり、解除ピストン５３は、パイロット油路３７に接続されたピストン油室５４に装備されていて、パイロット油路３７に圧油が供給されてきたとき、解除ピストン５３が逆止付勢バネ５２の付勢力に抗して、鋼球５１を弁座部５０ａから離れる側に押し戻すように作用する。これによって、油圧シリンダ１２からの戻り油を、圧油給排路３２及び通油路３５を経て逆流させ、タンクポートＴに戻すことができる。
【００２４】
アンロード弁６は、第三弁室６０内に、圧力補償用の筒状スプール６１を内装している。
第三弁室６０は、方向制御弁４が上昇位置Ｕに位置している状態で、ポンプポートＰからシリンダポートＣへの通油路３４に連なる中間通油路３８と、パイロット油路３７とにわたって形成されている。つまり、この第三弁室６０は、中間通油路３８と、パイロット油路３７とにわたるバイパス路に相当する。
【００２５】
筒状スプール６１は、中間通油路３８に近い側の端部が中実で反対側の端部が筒状に形成されている。そのうち、中実に形成された端部側の肉厚内部に、中間通油路３８とパイロット油路３７とを接続することが可能な連通路６２が形成されている。
連通路６２が形成された側とは反対側で筒状に形成された端部には、第三弁室６０内において筒状スプール６１を中間通油路３８側へ押圧付勢する圧力補償用のコイルスプリング６３が内装されている。
この第三弁室６０には、パイロット油路３７の存在箇所よりも中間通油路３８から遠い側で、かつ筒状スプール６１の中実に形成された端部が最も中間通油路３８に近い側に移動した時点における、筒状スプール６１の他端側よりも前記中間通油路３８から遠い側に通油開口６０ａが形成されている。そして、その通油開口６０ａが、シリンダポートＣからタンクポートＴへの通油路３５に対して、接続油路３９を介して接続されている。
【００２６】
これにより、方向制御弁４が上昇位置Ｕに操作された状態では、図４に示すように、ポンプポートＰに近い中間通油路３８の圧が上昇して筒状スプール６１を中間通油路３８から遠ざかる側へ押し、筒状スプール６１内の連通路６２を通してパイロット油路３７へ導き、タンクポートＴから排出される。
この上昇位置Ｕでは、ポンプポートＰから供給された圧油は、シリンダポートＣへの通油路３４に供給され、油圧シリンダ１２が上昇作動する。このとき、シリンダポートＣへの通油路３４に供給された圧油は接続油路３９を介して通油開口６０ａから第三弁室６０にも流れ込む。したがって、筒状スプール６１には、中間通油路３８における圧油の圧力と、接続油路３９を介して通油路３４から供給された第三弁室６０内の圧油の圧力とが相反する方向で作用し、かつ、第三弁室６０内の圧油の圧力と同方向にコイルスプリング６３の付勢力が作用する。
これによって、中間通油路３８における圧油の圧力と、第三弁室６０内の圧油の圧力と、の圧力差がコイルスプリング６３の付勢力と釣り合うように第三弁室６０内の筒状スプール６１の位置が調節されて連通路６２からの流量が制御される。
【００２７】
方向制御弁４が下降位置Ｄに操作された状態では、図５に示すように、ポンプポートＰからパイロット油路３７に流入した圧油の圧力でピストン油室５４の圧が高められ、解除ピストン５３の作用でチェック弁５が開かれる。これにともなって、油圧シリンダ１２からの戻り油がシリンダポートＣを経てタンクポートＴへの通油路３５に流れ込む。このとき、シリンダポートＣからタンクポートＴへの通油路３５の圧油が接続油路３９を経て第三弁室６０にも送り込まれる。
【００２８】
これによって、筒状スプール６１の、中間通油路３８に面する側の端部にポンプポートＰからの圧油の圧力が作用している状態で、その反対側の端部における第三弁室６０の内部では、接続油路３９を介して通油路３５の圧力が作用する。したがって、筒状スプール６１には、両端部側から、ほぼ同等の圧油の圧力が互いに逆向きに作用して均衡する。この状態で圧力補償用のコイルスプリング６３の付勢力が中間通油路３８の存在する側へ向けて加えられるので、筒状スプール６１は図５に示すように、中間通油路３８に近い側のストロークエンドまで移動した状態に維持される。
このように、接続油路３９を介して通油路３５の圧力が作用する状態における第三弁室６０の内部が、アンロード弁６の背圧室に相当する。
【００２９】
方向制御弁４が中立位置Ｎに操作された状態では、図３に示すように、ポンプポートＰからタンクポートＴへの通油路３６が形成され、パイロット油路３７、中間通油路３８、及び第三弁室６０内に大きな圧は作用せず、筒状スプール６１はコイルスプリング６３の付勢力で中間通油路３８に近い側のストロークエンドまで移動した状態に維持され、チェック弁５は閉じ位置にあって、油圧シリンダ１２への圧油給排路３２は閉塞されている。
【００３０】
リリーフ弁７は、タンクポートＴに連通する第四弁室７０に、栓体７１とリリーフバネ７２とを備えている。
栓体７１は、中間通油路３８に臨む開口３８ａに対して挿抜可能に構成されたものであり、リリーフバネ７２によって前記開口３８ａを閉塞する側へ向けて押し付け付勢可能に構成されている。
【００３１】
手動開閉弁８は、図示しない手動操作具に連係されていて、図２に示す閉止位置と、開放位置との二位置に、択一的に操作可能であるように構成されている。
この手動開閉弁８は、必ずしも制御弁ユニット３を構成するバルブブロック３０に内装された状態に設けられる必要はなく、バルブブロック３０からは離れた位置に設けられていてもよい。
【００３２】
上記の通油路３４と通油路３５は次のように構成されている。つまり、方向制御弁４が存在する第一弁室４０とシリンダポートＣとの間では、通油路３４と通油路３５は共通の油路によって構成されているが、通油路３４は方向制御弁４によって上昇位置Ｕに切り換えられた第一弁室４０内の空間がポンプポートＰにつながり、通油路３５は方向制御弁４によって下降位置Ｄに切り換えられた第一弁室４０内の空間がタンクポートＴにつながっている点で相違する。
【００３３】
〔制御弁ユニットの動作〕
上記のように構成された制御弁ユニット３の作動形態を説明する。
図３に示すように、方向制御弁４に対する方向切り換え用の左右のソレノイド４３，４３を非作動状態にして、左右の復帰バネ４４，４４の付勢作用により、主スプール４１を中立位置Ｎに操作する。
この状態では、主スプール４１の中央大径部４５が、第一弁室４０内において、ポンプポートＰを、中間通油路３８と、パイロット油路３７と、タンクポートＴに連通させる位置にあり、ポンプポートＰからタンクポートＴへの通油路３６が形成されている。
この状態では、アンロード弁６の両端部は開放されており、油圧ポンプ１３に、アンロード弁６による圧力補償動作を行わせるための圧力損失が生じるものではない。
【００３４】
図４に示すように、方向制御弁４に対する方向切り換え用の左側のソレノイド４３を作動状態にして主スプール４１を左方向に引き、上昇位置Ｕに操作する。この状態では、主スプール４１の中央大径部４５が、第一弁室４０内における、中間通油路３８とパイロット油路３７との連通状態を断ち、ポンプポートＰを、ポンプポートＰからシリンダポートＣへの通油路３４と、その通油路３４に連通する中間通油路３８とに対して接続する。
この上昇位置Ｕでは、ポンプポートＰから通油路３４を経てチェック弁５を開き、シリンダポートＣから油圧シリンダ１２に圧油が供給される。同時に、通油路３４に連通する中間通油路３８に供給された圧油は、第三弁室６０内の筒状スプール６１を中間通油路３８から遠ざかる側に押し、その内部に形成されている連通路６２を通して、パイロット油路３７に中間通油路３８側の余剰圧油を排出する。また、ポンプポートＰから通油路３４に供給された圧油は接続油路３９を介して通油開口６０ａから第三弁室６０にも流れ込む。
したがって、筒状スプール６１には、中間通油路３８における圧油の圧力と、接続油路３９や通油開口６０ａを介して通油路３４から供給された第三弁室６０内の圧油の圧力とが相反する方向で作用し、かつ、第三弁室６０内の圧油の圧力と同方向にコイルスプリング６３の付勢力が作用する。
その結果、中間通油路３８における圧油の圧力と、第三弁室６０内の圧油の圧力と、の圧力差がコイルスプリング６３の付勢力と釣り合うように第三弁室６０内の筒状スプール６１の位置が調節され、圧力差が一定となるように連通路６２からの流量が制御される。
【００３５】
図５に示すように、方向制御弁４に対する方向切り換え用の右側のソレノイド４３を作動状態にして主スプール４１を右方向に引き、下降位置Ｄに操作する。この状態では、主スプール４１の中央大径部４５が、第一弁室４０内における、シリンダポートＣからタンクポートＴへの通油路３５と、中間通油路３８との連通状態を断ち、ポンプポートＰをパイロット油路３７に接続させる。
この下降位置Ｄでは、パイロット油路３７に導入された圧油は解除ピストン５３を操作して鋼球５１を強制的に開放側に操作し、チェック弁５を開いて油圧シリンダ１２からの戻り油を、シリンダポートＣから通油路３５に導き、タンクポートＴから作動油タンク１４へ排出する。
このとき、通油路３５を流れる戻り油が、接続油路３９を介してアンロード弁６の背圧室となる第三弁室６０の内部に送り込まれ、筒状スプール６１を中間通油路３８に近づける側へ押圧付勢し、中間通油路３８側から作用するポンプポートＰからの圧油の圧力と対向し、ほぼ均衡した状態に近くなる。かつ、それに加えてコイルスプリング６３の付勢力が第三弁室６０の背圧に付加されることで、筒状スプール６１を中間通油路３８に近づける側へ押し付けた状態に維持することができる。
【００３６】
〔サブ通油路〕
上記の制御弁ユニット３では、方向制御弁４の下降位置Ｄにおいて、第一弁室４０と主スプール４１との間にサブ通油路９が存在するように構成されている。
図６は、方向制御弁４が下降位置Ｄに操作された状態を示している。
主スプール４１の中央大径部４５の外周面における右端部と、右大径部４６の外周面における左端部と、左大径部４７の外周面における右端部とのそれぞれには、通油用切り欠き４５ａ，４６ａ，４７ａが形成されている。
【００３７】
シリンダポートＣからタンクポートＴへの通油路３５を流れる圧油は、中央大径部４５と右大径部４６との間で、第一弁室４０内の右小径部４８の外周側に存在する空間ｓ１から、通油用切り欠き４６ａを通過してタンクポートＴへ排出される。
このとき、空間ｓ１内における圧油の圧力は、右大径部４６の左側面と中央大径部４５の右側面のうち、右大径部４６の左側面の面積が、通油用切り欠き４６ａの開放に伴って減少した状態となることから、右向きの圧力ｆ１よりも左向きの圧力ｆ２が大きくなる傾向がある。
【００３８】
方向制御弁４が下降位置Ｄに操作された状態でポンプポートＰから供給された圧油は、パイロット油路３７を介してピストン油室５４に送られ、チェック弁５が開放される。
このとき、ポンプポートＰから供給された圧油は、中央大径部４５と左大径部４７との間で、第一弁室４０内の左小径部４９の外周側に存在する空間ｓ２から、左大径部４７の外周面における右端部に形成された通油用切り欠き４７ａを通過してタンクポートＴへ排出される。このポンプポートＰから通油用切り欠き４７ａを通過してタンクポートＴへ排出される経路がサブ通油路９である。
【００３９】
サブ通油路９が存在する空間ｓ２においては、中央大径部４５の左側面と左大径部４７の右側面のうち、左大径部４７の右側面の面積が、通油用切り欠き４７ａの開放に伴って減少した状態となることから、左向きの圧力ｆ３よりも右向きの圧力ｆ４が大きくなる傾向がある。
これらの左向きの圧力ｆ３と右向きの圧力ｆ４、及び右向きの圧力ｆ１と左向きの圧力ｆ２は、同じ主スプール４１に対して作用するものであるから、その総和は、左向きの圧力ｆ３と右向きの圧力ｆ４との差、及び右向きの圧力ｆ１と左向きの圧力ｆ２との差、が等しければ互いに打ち消し合って零に近くなる。
【００４０】
実際には、サブ通油路９を構成する通油用切り欠き４７ａの断面積を、通油路３５を構成する通油用切り欠き４６ａの断面積よりも少し小さく設定してあって、左向きの圧力ｆ３と右向きの圧力ｆ４との差が、右向きの圧力ｆ１と左向きの圧力ｆ２との差よりも少なくなるようにしてある。
これは、通油路３５を構成する通油用切り欠き４６ａを通過する圧油の油量が、油圧シリンダ１２で支持される作業装置の重量による影響等で比較的大きく変化する傾向があるため、その油量が多くても少なくても、方向制御弁４を戻しすぎて位置が不安定になることがないようにするためである。
【００４１】
本発明との比較のため、このようなサブ通油路９が備えられていない構造を図７に示す。
この構造では、シリンダポートＣからタンクポートＴへの通油路３５を流れる圧油は、中央大径部４５と右大径部４６との間で、第一弁室４０内の右小径部４８の外周側に存在する空間ｓ１から、通油用切り欠き４６ａを通過してタンクポートＴへ排出される。
このとき、空間ｓ１内における圧油の圧力は、右大径部４６の左側面と中央大径部４５の右側面のうち、右大径部４６の左側面の面積が、通油用切り欠き４６ａの開放に伴って減少した状態となることから、右向きの圧力ｆ１よりも左向きの圧力ｆ２が大きくなる傾向がある。
【００４２】
そして、中央大径部４５と左大径部４７との間で、第一弁室４０内の左小径部４９の外周側に存在する空間ｓ２では、通油用切り欠き４７ａがタンクポートＴに連通していないので、サブ通油路９は構成されていない。
したがって、第一弁室４０内における方向制御弁４の下降位置Ｄの位置が、右向きの圧力ｆ１と左向きの圧力ｆ２との差による作用力と、逆向き（図７中で左向き）に作用する復帰バネ４４で戻され気味になり、安定し難くなる虞がある。
【００４３】
〔別実施形態の１〕
上記の実施形態では、サブ通油路９を構成する通油用切り欠き４７ａの断面積を、通油路３５を構成する通油用切り欠き４６ａの断面積よりも少し小さく設定した構造のものを例示したが、この構造に限られるものではない。
例えば、サブ通油路９を構成する通油用切り欠き４７ａの断面積と、通油路３５を構成する通油用切り欠き４６ａの断面積とを、ほぼ等しく形成したり、サブ通油路９を構成する通油用切り欠き４７ａの断面積を、通油路３５を構成する通油用切り欠き４６ａの断面積よりも少し大きく形成することも可能である。
その他の構成は、前述した実施形態と同様の構成を採用すればよい。
【００４４】
〔別実施形態の２〕
上記の実施形態では、方向制御弁４を電磁弁で構成して、その操作位置の切換を、ソレノイド４３と復帰バネ４４とによって行うように構成したものを示したが、この構造に限られるものではなく、例えば人為的に手動操作で切り換えられるようにするなど、任意の動作形態のものを選択することができる。
その他の構成は、前述した実施形態と同様の構成を採用すればよい。
【００４５】
〔別実施形態の３〕
上記の実施形態では、サブ通油路９を構成する通油用切り欠き４７ａとして、左大径部４７の右端部における外周面で、主スプール４１の軸線方向に沿った短い直線状の凹溝によって形成したものを例示したが、この構造に限定されるものではない。
例えば、図８に示すように、サブ通油路９を形成する箇所が左大径部４７である場合に、左大径部４７の外周面に螺旋溝によって形成された通油用切り欠き４７ａを設けても良い。このように通油用切り欠き４７ａを螺旋溝状に形成すると、左大径部４７の受圧面に圧力が作用したとき、主スプール４１が回転し易くなる。したがって主スプール４１が回転することで、主スプール４１の回転方向での位相によって圧力補償能力が変わるというような問題を回避でき、主スプール４１の回転方向で圧力補償能力にバラツキが生じることを抑制できる。
尚、螺旋溝によって形成される通油用切り欠き４７ａは、サブ通油路９を形成する箇所が左大径部４７である場合に、左大径部４７の外周面における軸線方向での全範囲にわたるものに限らず、左大径部４７の右端部を含む一部範囲に形成されたものであっても良い。
その他の構成は、前述した実施形態と同様の構成を採用すればよい。
【産業上の利用可能性】
【００４６】
本発明における作業機の油圧駆動装置は、実施形態で示した乗用型田植機の昇降装置に限らず、トラクタの作業機昇降装置や運搬車両に装備した昇降装置など、単動シリンダを用いる適宜の作業機における油圧駆動装置に適用することができる。
【符号の説明】
【００４７】
１                走行機体
３                制御弁ユニット
４                方向制御弁
９                サブ通油路
１２              単動シリンダ
１３              油圧ポンプ
１４              作動油タンク
３１              圧油供給路
３２              圧油給排路
３３              ドレン油路
３４              通油路
３５              通油路
４１              スプール
Ｔ                タンクポート
Ｐ                ポンプポート
Ｃ                シリンダポート
Ｕ                上昇位置
Ｎ                中立位置
Ｄ                下降位置
【図１】
2018009595.tif 000003
【図２】
2018009595.tif 000004
【図３】
2018009595.tif 000005
【図４】
2018009595.tif 000006
【図５】
2018009595.tif 000007
【図６】
2018009595.tif 000008
【図７】
2018009595.tif 000009
【図８】
2018009595.tif 000010